(57)【特許請求の範囲】
【請求項１】
回転軸に結合された巻き取りロールと、
前記巻き取りロールに巻き取り（ｗｉｎｄｉｎｇ）または巻戻し（ｕｎｗｉｎｄｉｎｇ）されるスクリーン部材と、
前記スクリーン部材の下端に連結され、重力によって前記巻き取りロールに前記スクリーン部材が巻き戻される第１方向にトルクを印加するウェイト部材と、
前記巻き取りロールに弾性力を加え、前記スクリーン部材が巻き取られる第２方向にトルクを印加する弾性部材と、
前記巻き取りロールに摩擦力を発生させる摩擦固定部とを含み、
前記回転軸は、前記巻き取りロールの内部に延びた第１回転軸を含み、
前記摩擦固定部は、前記巻き取りロールに結合されて前記巻き取りロールと共に回転し、前記第１回転軸と摩擦を起こす第１回転ブロックを含み、
前記第１回転軸の外周面および前記第１回転ブロックの内周面のうち少なくとも一つに設置されて摩擦抵抗を増加させる摩擦部材をさらに含む、コードレスブラインド装置。
【請求項２】
前記摩擦力は、前記巻き取りロールに前記第１方向に印加されるトルクと前記第２方向に印加されるトルクの合力を相殺する、請求項１に記載のコードレスブラインド装置。
【請求項３】
前記弾性部材は、前記巻き取りロールの回転に伴って弾性変形して弾性エネルギーを保存するねじり弾性体で形成された、請求項１に記載のコードレスブラインド装置。
【請求項４】
前記ねじり弾性体は、前記回転軸の外周部を囲むコイルスプリングである、請求項３に記載のコードレスブラインド装置。
【請求項５】
前記第１回転軸は、外周面にねじ山が形成されて雄ねじをなし、
前記第１回転ブロックは、中央が空いて形成された内周面にねじ山が形成され、前記雄ねじと噛み合う雌ねじをなす、請求項４に記載のコードレスブラインド装置。
【請求項６】
前記摩擦部材は、前記第１回転軸の外周面に前記第１回転軸の長さ方向に沿って延びる、請求項１に記載のコードレスブラインド装置。
【請求項７】
前記摩擦部材は、前記第１回転軸の長さ方向に沿って摩擦抵抗が変動する、請求項６に記載のコードレスブラインド装置。
【請求項８】
前記摩擦部材は、前記第１回転軸と前記第１回転ブロックとの間で弾性変形する弾性体からなり、前記第１回転軸の長さ方向に沿って厚さまたは面積が変動する、請求項７に記載のコードレスブラインド装置。
【請求項９】
前記摩擦部材は、前記第１回転ブロックと接する面または前記第１回転軸と接する面に鋸歯（ｓｅｒｒａｔｉｏｎ）が形成された、請求項１に記載のコードレスブラインド装置。
【請求項１０】
前記摩擦部材は、前記第１回転軸の長さ方向に沿って前記鋸歯の高さ、間隔、形状のうち少なくとも一つが変動する、請求項９に記載のコードレスブラインド装置。
【請求項１１】
前記回転軸は、前記巻き取りロールの内部に延びた第２回転軸を含み、
前記巻き取りロールに結合されて前記巻き取りロールと共に回転する第２回転ブロックをさらに含み、
前記弾性部材は、両端部がそれぞれ前記第２回転ブロックおよび前記第２回転軸に固定された、請求項１に記載のコードレスブラインド装置。
【請求項１２】
前記巻き取りロールは、複数が互いに平行に配置され、前記スクリーン部材、前記ウェイト部材、および前記弾性部材は、それぞれ複数が複数の前記巻き取りロールそれぞれに対応して形成された、請求項１に記載のコードレスブラインド装置。
【請求項１３】
複数の前記スクリーン部材の間、および複数の前記ウェイト部材の間のうち少なくとも一つの間に連結される連結フック部をさらに含み、
前記摩擦固定部は、複数の前記巻き取りロールのうち少なくとも一つに形成される、請求項１２に記載のコードレスブラインド装置。
【請求項１４】
前記連結フック部は、複数の前記ウェイト部材それぞれに形成されたガイド溝にスライディング移動が可能に結合された、請求項１３に記載のコードレスブラインド装置。
【発明の詳細な説明】
【技術分野】
【０００１】
本発明は、ブラインド装置に関し、より詳細には、コードなしで便利に作動させることができるコードレスブラインド装置に関する。
【背景技術】
【０００２】
窓を通して入射する直射光や外部視線などを遮断するためにブラインド装置を設置する。ブラインド装置を用いて光量を適切に調整すれば淡い採光効果でより快適な室内の雰囲気を造成することもできる。ブラインド装置は窓際に設置されて開閉が可能な構造で形成される。
【０００３】
ブラインド装置は、ロール形態に巻かれたり巻き戻されて広がるスクリーンを含み得る。スクリーンの大きさを調整して窓の一部または全部を開放して光量などを調整することができる。このようなロール形態のブラインド装置はロールを回転させるコード（ｃｏｒｄ：紐）を用いてスクリーンの大きさを調整することができる。
【０００４】
すなわち、従来のブラインド装置は、コードを引いて張力を加えることによって窓の上端に設置されたロールも簡単に回転させ得る構造で形成されている。しかし、このような構造はコードが連結された側にのみ力が偏重する構造であるため、繰り返しの使用によりブラインド装置のバランスが崩れたり、ロールとコードの連結部位などが簡単に破損する問題があった。
【０００５】
また、コードが長く延びた場合、人、特に注意力が足りない子供たちがつまづきやすい問題があり、このために不注意による事故が発生する余地も多かった。また、ロールの一側に連結されたコードでロール全体をバランスよく回転させなければならないので、回転構造が不必要に複雑になるなど改善の余地が多かった。
【先行技術文献】
【特許文献】
【０００６】
【特許文献１】韓国登録実用新案第２０−０４８０９５５号公報（２０１６年７月２９日）
【発明の概要】
【発明が解決しようとする課題】
【０００７】
本発明の技術的課題は、このような問題点を解決するためのものとして、コードなしで便利に作動させることができるコードレスブラインド装置を提供することにある。
【０００８】
本発明の技術的課題は、以上で言及した課題に制限されず、言及されていないまた他の技術的課題は、下記の記載から当業者に明確に理解されるであろう。
【課題を解決するための手段】
【０００９】
本発明によるコードレスブラインド装置は、回転軸に結合された巻き取りロールと、前記巻き取りロールに巻き取り（ｗｉｎｄｉｎｇ）または巻戻し（ｕｎｗｉｎｄｉｎｇ）されるスクリーン部材と、前記スクリーン部材の下端に連結され、重力によって前記巻き取りロールに前記スクリーン部材が巻き戻される第１方向にトルクを印加するウェイト部材と、前記巻き取りロールに弾性力を加え、前記スクリーン部材が巻き取られる第２方向にトルクを印加する弾性部材と、前記巻き取りロールに摩擦力を発生させる摩擦固定部を含む。
【００１０】
前記摩擦力は、前記巻き取りロールに前記第１方向に印加されるトルクと前記第２方向に印加されるトルクの合力を相殺させ得る。
【００１１】
前記弾性部材は、前記巻き取りロールの回転に伴って弾性変形して弾性力を保存するねじり弾性体で形成され得る。
【００１２】
前記ねじり弾性体は、前記回転軸の外周部を囲むコイルスプリングであり得る。
【００１３】
前記回転軸は、前記巻き取りロールの内部に延びた第１回転軸を含み、前記摩擦固定部は、前記巻き取りロールに結合されて前記巻き取りロールと共に回転し、前記第１回転軸と摩擦を起こす第１回転ブロックを含み得る。
【００１４】
前記第１回転軸は、外周面にねじ山が形成されて雄ねじをなし、前記第１回転ブロックは、中央が空いて形成された内周面にねじ山が形成され、前記雄ねじと噛み合う雌ねじをなし得る。
【００１５】
前記第１回転軸の外周面および前記第１回転ブロックの内周面のうち少なくとも一つに設置されて摩擦抵抗を増加させる摩擦部材をさらに含み得る。
【００１６】
前記摩擦部材は、前記第１回転軸の外周面に前記第１回転軸の長さ方向に沿って延び得る。
【００１７】
前記摩擦部材は、前記第１回転軸の長さ方向に沿って摩擦抵抗が変動し得る。
【００１８】
前記摩擦部材は、前記第１回転軸と前記第１回転ブロックとの間で弾性変形する弾性体からなり、前記第１回転軸の長さ方向に沿って厚さまたは面積が変動し得る。
【００１９】
前記摩擦部材は、前記第１回転ブロックと接する面または前記第１回転軸と接する面に鋸歯（ｓｅｒｒａｔｉｏｎ）が形成され得る。
【００２０】
前記摩擦部材は、前記第１回転軸の長さ方向に沿って前記鋸歯の高さ、間隔、形状のうち少なくとも一つが変動し得る。
【００２１】
前記回転軸は、前記巻き取りロールの内部に延びた第２回転軸を含み、前記巻き取りロールに結合されて前記巻き取りロールと共に回転する第２回転ブロックをさらに含み、前記弾性部材は、両端部がそれぞれ前記第２回転ブロックおよび前記第２回転軸に固定され得る。
【００２２】
前記巻き取りロールは、複数が互いに平行に配置され、前記スクリーン部材、前記ウェイト部材、および前記弾性部材は、それぞれ複数が複数の前記巻き取りロールそれぞれに対応して形成され得る。
【００２３】
複数の前記スクリーン部材の間、および複数の前記ウェイト部材の間のうち少なくとも一つの間に連結される連結フック部をさらに含み、前記摩擦固定部は、複数の前記巻き取りロールのうち少なくとも一つに形成され得る。
【００２４】
前記連結フック部は、複数の前記ウェイト部材それぞれに形成されたガイド溝にスライディング移動が可能に結合され得る。
【発明の効果】
【００２５】
本発明によれば、従来ロールなどの一側に連結されていたコードなどを使わずとも非常に便利にブラインド装置を作動させることができる。本発明のブラインド装置を用いてコードなしでも非常に簡単にスクリーンを巻き取りまたは巻き戻しして長さを調整することができ、調整された長さを安定的に維持することができる。したがって、コードの繰り返しの使用によるブラインド装置の不均衡やコード連結部位などの破損問題を効果的に解消することができる。また、ブラインド装置の外観が非常にシンプルになり、美観上流麗であり、長く延びたコードによって人がつまづくなどの不注意による事故も容易に防止するなど様々な有用な効果を得ることができる。
【図面の簡単な説明】
【００２６】
【図１】本発明の一実施例によるコードレスブラインド装置の斜視図である。
【図２】図１のブラインド装置の巻き取りロールの分解斜視図である。
【図３】図１のブラインド装置の巻き取りロールの内部構造を示す断面図である。
【図４】図１のブラインド装置の第１回転軸と摩擦固定部を拡大して示す斜視図である。
【図５】図４の第１回転軸と摩擦固定部の分解斜視図である。
【図６】図４の第１回転軸と摩擦固定部の断面図である。
【図７】摩擦固定部の変形例を示す斜視図である。
【図８】図７の摩擦固定部の適用例を示す部分拡大図である。
【図９】図１のブラインド装置の作動図である。
【図１０】図１のブラインド装置の作動図である。
【図１１】本発明の他の実施例によるコードレスブラインド装置を互いに異なる方向から見た斜視図である。
【図１２】図１１のブラインド装置のウェイト部材と連結フック部を示す断面図である。
【図１３】図１１のブラインド装置の作動図である。
【図１４】図１１のブラインド装置の作動図である。
【発明を実施するための形態】
【００２７】
本発明の利点および特徴、並びにそれらを達成するための方法は、添付する図面と共に詳細に後述されている実施例を参照すると明確になるであろう。しかし、本発明は、以下で開示する実施例に限定されるものではなく、互いに異なる多様な形態で実現することができ、本実施例は、単に本発明の開示を完全にし、本発明が属する技術分野における通常の知識を有する者に発明の範疇を完全に知らせるために提供するものであり、本発明はただ請求項によってのみ定義される。明細書全体にわたって同一参照符号は同一構成要素を指す。
【００２８】
以下、図１ないし図１０を参照して本発明の一実施例によるコードレスブラインド装置について詳細に説明する。
【００２９】
図１は本発明の一実施例によるコードレスブラインド装置の斜視図であり、図２は図１のブラインド装置の巻き取りロールの分解斜視図であり、図３は図１のブラインド装置の巻き取りロールの内部構造を示す断面図である。
【００３０】
図１ないし図３を参照すると、本発明の一実施例によるコードレスブラインド装置１は、回転軸に結合された巻き取りロール１００、巻き取りロール１００に巻き取り（ｗｉｎｄｉｎｇ）または巻戻し（ｕｎｗｉｎｄｉｎｇ）されるスクリーン部材２００、スクリーン部材２００の下端に連結されて重力によって巻き取りロール１００にスクリーン部材２００が巻き戻される第１方向（図１のａ参照）にトルクを印加するウェイト部材３００、巻き取りロール１００に弾性力を加えてスクリーン部材２００が巻き取られる第２方向（図１のｂ参照）にトルクを印加する弾性部材（図２および図３の４００参照）、および巻き取りロール１００に摩擦力を発生させる摩擦固定部（図２および図３の５００参照）を含む。コードレスブラインド装置１は、図示するようにコード（紐）が完全に除去された構造で非常にシンプルな外形を有する。
【００３１】
コードレスブラインド装置１は、巻き取りロール１００に印加された互いに逆方向の回転力（トルク）によりコードなしでも容易に作動する。回転力は、スクリーン部材２００の巻き戻された長さに対応して均衡をなして増加または減少する。回転力は互いに均衡をなすが、逆方向に作用するので、最小限の外力（スクリーン部材やウェイト部材などをタッチして容易に伝達できる）を加えて均衡状態を容易に解除することができ、外力を除去して本来の均衡状態に容易に転換させることができる。したがって、所望する方向に外力を加えて巻き取りロール１００を回転させたり外力を除去して回転位置に停止させることができる。
【００３２】
また、構造的な理由、設計上の理由、製造上の理由や製作公差などによって回転力の大きさに微妙な差があり得るが、摩擦固定部５００で摩擦力を生成することでこれを解決することができる。摩擦力で互いに逆方向に印加された回転力の合力を相殺してより容易に停止状態を維持することができる。また、摩擦固定部５００の摩擦力によって適切な抵抗が付与されるので、巻き取りロール１００の所望しない回転を防止し、適切な外力が伝達されるまで容易に停止状態を維持させることができる。このように互いに逆方向に作用する回転力の対と摩擦を用いる構造でコードなしでも非常に便利にブラインド装置を作動させることができる。
【００３３】
以下、このような特徴を有するコードレスブラインド装置１について各図面を参照してより詳細に説明する。以下の説明により本発明の他の特徴も明確に把握することができる。
【００３４】
巻き取りロール１００は、円筒状で形成される。図１ないし図３に示すように内部が空の円筒状で巻き取りロール１００を形成する。巻き取りロール１００は、回転軸が固定される固定ブラケット（６１０，６２０）の間に配置され、固定ブラケット（６１０，６２０）は、巻き取りロール１００を内部に収容するハウジング（図１の点線部分）と結合されてもよい。巻き取りロール１００は、中空型の形状で形成されて巻き取りロール１００の内部に回転軸が挿入されることができる。また、前述した弾性部材４００、摩擦固定部５００等の構造も巻き取りロール１００の内部に収容されることができる。しかし、巻き取りロール１００の形状が円筒状に限定される必要はなく、スクリーン部材２００を巻き取りまたは巻き戻しするのに容易な適切な形態に巻き取りロール１００の少なくとも一部を変形することができる。巻き取りロール１００は回転軸（第１回転軸および第２回転軸）に結合されて回転することができる。
【００３５】
巻き取りロール１００に結合される回転軸は、一つまたは一つ以上であり得る。本発明の一実施例のように第１回転軸１１０および第２回転軸１２０を形成して巻き取りロール１００の両端に結合することができる。このように回転軸を分割して互いに異なる端部に結合する構造で巻き取りロール１００内部の空間をより効率的に活用することができる。しかし、このように限定される必要はなく、必要に応じて単一回転軸が巻き取りロール１００を貫いて結合する構造を形成することも可能である。以下、本発明の一実施例では第１回転軸１１０と第２回転軸１２０が形成された構造を基準に説明をする。
【００３６】
スクリーン部材２００は、巻き取りロール１００に巻き取り（ｗｉｎｄｉｎｇ）または巻戻し（ｕｎｗｉｎｄｉｎｇ）される。スクリーン部材２００は、巻き取りロール１００の回転に対応して巻き取りロール１００に巻かれて巻き取られるか巻き取りロール１００から巻戻され得る。スクリーン部材２００の一端部は巻き取りロール１００に連結されて巻き取りロール１００と共に回転し、他端部はウェイト部材３００に連結されて固定され得る。巻き取りロール１００が一方向に回転してスクリーン部材２００が巻き戻される場合、逆方向に回転するとスクリーン部材２００が巻き取られることができる。スクリーン部材２００は、織物などで形成され得るが、これに限定される必要はない。スクリーン部材２００は、屈折可能な多様な素材の生地で製作することができる。
【００３７】
ウェイト部材３００は、スクリーン部材２００の下端に連結される。図１に示すようにスクリーン部材２００の下端にウェイト部材３００を結合してスクリーン部材２００を広げることができる。ウェイト部材３００は、適切な重量を有し、重力によってスクリーン部材２００に張力を伝達し、スクリーン部材２００に伝達された張力が巻き取りロール１００を回転させる回転力（トルク）として作用することができる。すなわち、ウェイト部材３００は、スクリーン部材２００の下端に連結され、重力によって巻き取りロール１００にスクリーン部材２００が巻き戻される第１方向にトルク（回転力）を印加する。ウェイト部材３００は、スクリーン部材２００の幅に対応する長さを有する棒形状で形成されるが、この他にも様々な多様な形状のウェイト部材３００で形成することができる。
【００３８】
弾性部材４００は、巻き取りロール１００に弾性力を加えてスクリーン部材２００が巻き取られる第２方向にトルクを印加する。弾性部材４００は、図２に示すように巻き取りロール１００の内側に収容され得る。すなわち、弾性部材４００を設置して前述したウェイト部材３００が印加する第１方向と逆方向のトルクを巻き取りロール１００に印加して巻き取りロール１００の均衡を誘導することができる。弾性部材４００は、巻き取りロール１００の回転に伴って弾性変形して弾性エネルギーを保存するねじり弾性体で形成され得、このようなねじり弾性体は回転軸の外周部を囲むコイルスプリングであり得る。例えば、図２に示すように第２回転軸１２０の外周部を囲むコイルスプリングでねじり弾性体の弾性部材４００を形成し得る。
【００３９】
弾性部材４００は、巻き取りロール１００の回転に対応して変形量が増加し、それに伴って復原力も増加する。このような復原力は変形を誘発した回転の逆方向に作用するので、逆方向の回転力を生成する。例えば、スクリーン部材２００が巻き戻される場合、巻き取りロール１００が巻き戻し方向に回転するほど逆方向の巻き取り方向（前述した第２方向）の回転力が弾性力によって増加する。同時に、スクリーン部材２００が巻き戻されて長さが伸張するので、ウェイト部材３００とスクリーン部材２００の重量が合算されて重力作用による巻き戻し方向（前述した第１方向）の回転力も共に増加する。したがって、第１方向の回転力（トルク）と第２方向の回転力（トルク）が互いに均衡をなして増加する。このような回転力の均衡によってコードなしで巻き取りロール１００を容易に回転させて回転位置で容易に停止させることができる。具体的な作動過程については詳細に後述する。
【００４０】
弾性部材４００は、第２回転軸１２０と巻き取りロール１００との間に連結されてトルクを誘発し得る。弾性部材４００は、例えば、巻き取りロール１００に結合されて回転する回転ブロックを経由して巻き取りロール１００と連結され得る。前述した通り、第２回転軸１２０は、巻き取りロール１００の内部に延び、巻き取りロール１００の内部に巻き取りロール１００に結合されて巻き取りロール１００と共に回転する第２回転ブロック４１０が形成され得る。弾性部材４００は、図２および図３に示すように両端部がそれぞれ第２回転ブロック４１０および第２回転軸１２０に連結されて固定され得る。第２回転ブロック４１０の回転中心を貫いて第２回転軸１２０が結合され得、第２回転ブロック４１０の外周部に形成されたホルダ４１２が巻き取りロール１００内側のガイドレール（図１ないし図３の１０１参照）に結合されて巻き取りロール１００と第２回転ブロック４１０が同期化して共に回転し得る。
【００４１】
このような構造によって巻き取りロール１００が回転すると第２回転ブロック４１０が共に回転し、第２回転ブロック４１０に連結された弾性部材４００の一端部がねじれて変形し得る。第２回転軸１２０は、巻き取りロール１００を回転可能に支持するが、自ら回転しない構造であるため第２回転軸１２０に固定された弾性部材４００の他端部は固定状態を維持する。したがって、弾性部材４００の一端部と他端部との間にねじれが生じて弾性エネルギーが保存される。このような方式で弾性部材４００を形成し得る。しかし、弾性部材４００の形成方式は、このように限定される必要はなく、巻き取りロール１００に弾性力を加えて回転力を印加できる他の形態に弾性部材４００の設置構造を変更して適用することも可能である。
【００４２】
第２回転軸１２０と第１回転軸１１０は、それぞれ固定ブラケット（６１０，６２０）に結合されて固定される。第１回転軸１１０および第２回転軸１２０の固定ブラケット（６１０，６２０）に向かう端部には多様な形態の固定部（１１０ｂ、１２０ｂ）を形成して堅固に固定し得る。例えば、突起と溝などが噛み合う構造、ねじ結合構造などの様々な固定構造を複合的に活用して固定部（１１０ｂ、１２０ｂ）を形成することができる。また、第１回転軸１１０および第２回転軸１２０それぞれに回転可能に結合された回転リング（１１０ａ、１２０ａ）を形成して図３に示すように回転リング（１１０ａ、１２０ａ）を巻き取りロール１００の両端部に結合することができる。これにより巻き取りロール１００が回転リング（１１０ａ、１２０ａ）に支持されて回転軸上で回転する構造を実現することができる。
【００４３】
摩擦固定部５００は、巻き取りロール１００に結合されて巻き取りロール１００と共に回転して第１回転軸１１０と摩擦を起こす第１回転ブロック５１０を含む。第１回転軸１１０も巻き取りロール１００の内部に延び、巻き取りロール１００の内側に巻き取りロール１００と共に回転する第１回転ブロック５１０が形成され得る。第１回転ブロック５１０は、図２および図３に示すように回転の中心に第１回転軸１１０が貫通して結合され得、外周部にホルダ５１２が形成されており、巻き取りロール１００の内側のガイドレール１０１と結合され得る。これにより、巻き取りロール１００と第１回転ブロック５１０の回転が同期化される。また、前述した第２回転ブロック４１０も同じ構造で巻き取りロール１００と回転が同期化して共に回転し得る。
【００４４】
第１回転ブロック５１０と第２回転ブロック４１０のホルダ（４１２，５１２）は、巻き取りロール１００内側のガイドレール１０１とそれぞれスライディング可能に結合され得る。これにより、第１回転ブロック５１０および第２回転ブロック４１０は、巻き取りロール１００と共に回転して同時に平行移動することができる。図１ないし図３に示すようにガイドレール１０１は、第１回転軸１１０および第２回転軸１２０と平行して延びて回転軸方向と平行なスライディング移動をガイドすることができる。したがって、第１回転ブロック５１０は、回転する間第１回転軸１１０の長さ方向に平行移動し得、第２回転ブロック４１０も回転する間第２回転軸１２０の長さ方向に平行移動することができる。これにより各回転ブロックが回転と共に平行移動し、より容易に摩擦を誘発する構造を実現することができ、より柔軟に弾性変形に対応する構造を実現することができる。
【００４５】
摩擦固定部５００は、ねじ山の結合によるか、摩擦部材５２０の接触などによってより効果的に巻き取りロール１００に摩擦力を提供することができる。本発明の一実施例ではねじ山結合構造と摩擦部材５２０が結合された構造が共に適用された構造を基準に説明をする。しかし、他の実施例でねじ山の結合構造のみを適用するか、または摩擦部材５２０のみを適用した摩擦固定部５００を形成することも可能である。以下、図４ないし図８を参照して摩擦固定部５００についてさらに詳細に説明する。
【００４６】
図４は図１のブラインド装置の第１回転軸と摩擦固定部を拡大して示す斜視図であり、図５は図４の第１回転軸と摩擦固定部の分解斜視図であり、図６は図４の第１回転軸と摩擦固定部の断面図である。
【００４７】
摩擦固定部５００は図４ないし図６に示す形態で形成される。摩擦固定部５００は、第１回転軸１１０上に形成され得、前述した通り巻き取りロール（図１ないし図３の１００参照）に結合されて共に回転する第１回転ブロック５１０により摩擦を誘発し得る。第１回転ブロック５１０の外周部にはホルダ５１２が形成され、前述した通り巻き取りロール１００と結合され得る。ホルダ５１２は、溝や突起のような構造を含み得、例えば、溝の部分が前述した巻き取りロール１００のガイドレール（図１ないし図３の１０１参照）とスライディング可能に結合し得る。これにより第１回転ブロック５１０は回転しながら、図４および図６に示すように第１回転軸１１０の長さ方向に平行移動することができる。
【００４８】
第１回転軸１１０は、図４ないし図６に示すように外周面にねじ山１１１が形成される。第１回転軸１１０は分解が可能であり、図５に示すように一端部の固定部（１１０ｂ、１２０ｂ）と他端部のストッパ１１４を分離または結合して用いることができる。これにより前述した回転リング１１０ａを分離結合し、第１回転ブロック５１０も容易に結合することができる。ストッパ１１４は、第１回転ブロック５１０の移動経路を制限して第１回転ブロック５１０が一定水準以上の平行移動ができないように境界を設定することができる。ストッパ１１４は着脱可能に形成することができ、必要に応じてストッパ１１４の位置を移動させることも可能である。
【００４９】
第１回転ブロック５１０は、中央が空いて形成された内周面にねじ山５１１が形成される。ねじ山５１１は、第１回転ブロック５１０中央の貫通穴５０１の内側に形成され得る。第１回転軸１１０の外周面に形成されたねじ山１１１は雄ねじをなし、第１回転ブロック５１０の内周面に形成されたねじ山５１１は雄ねじと噛み合う雌ねじをなす。すなわち、第１回転ブロック５１０と第１回転軸１１０がそれぞれねじ山（１１１，５１１）により噛み合って回転しながら摩擦を誘発する構造を実現することができる。特に、第１回転ブロック５１０は、単に回転するものではなく、ねじ山（１１１，５１１）により回転し、回転方向と垂直方向に動く（図４および図６参照）。したがって、ねじ山（１１１，５１１）に沿って流動し、より効果的に摩擦を誘発することができる。
【００５０】
摩擦部材５２０は、第１回転軸１１０の外周面および第１回転ブロック５１０の内周面のうち少なくとも一つに設置される。本発明の一実施例では第１回転軸１１０の外周面に摩擦部材５２０が設置された例を基準に説明する。しかし、他の実施例で第１回転ブロック５１０の内周面に摩擦部材を設置したり、第１回転軸１１０の外周面および第１回転ブロック５１０の内周面の両方に摩擦部材を設置することもできる。本発明の一実施例のように第１回転軸１１０に摩擦部材５２０を設置する場合には第１回転軸１１０の空間を用いてより積極的に摩擦部材５２０を活用することができる。以下、摩擦部材５２０についてより詳細に説明する。
【００５１】
摩擦部材５２０は、図４ないし図６に示すように第１回転軸１１０の外周面に第１回転軸１１０の長さ方向に沿って延びる。したがって、図４および図６に示すように第１回転ブロック５１０が回転して移動する間第１回転ブロック５１０のねじ山５１１と接触してより効果的に摩擦を生成することができる。すなわち、第１回転軸１１０の長さ方向に沿って延びた摩擦部材５２０を形成し、これを第１回転軸１１０の長さ方向に移動する第１回転ブロック５１０と接触させて第１回転ブロック５１０の位置に変化に応じて摩擦を生成することができる。
【００５２】
摩擦部材５２０は、図５に示すように第１回転軸１１０の外周面に形成された長溝１１２に挿入さ得れる。長溝１１２は、ねじ山１１１と交差する方向に形成され得る。長溝１１２と摩擦部材５２０が接する面にはそれぞれ互いに噛み合う固定突起（１１３，５２２）を形成して摩擦部材５２０の位置を効果的に固定し得る。摩擦部材５２０は、長溝１１２に挿入されやすい棒形状などで形成され得、厚さなどを適切に調整して適切な摩擦を誘発するように形成され得る。摩擦部材５２０の第１回転ブロック５１０に向かう接触面は図６に示す高さで維持され得る。
【００５３】
図６に示すように、摩擦部材５２０の第１回転ブロック５１０に向かう接触面は第１回転軸１１０に形成されたねじ山１１１の山と谷との間で延びることができる（図６の拡大図参照）。これにより第１回転ブロック５１０に形成されたねじ山５１１の少なくとも一部が摩擦部材５２０の表面を圧迫して適切な摩擦を誘発することができる。第１回転ブロック５１０と接触する摩擦部材５２０の接触部位は弾性的に変形し、接触状態を維持することができる（図６の拡大図参照）。したがって、これにより効果的に摩擦力を生成して巻き取りロール（図１ないし図３の１００参照）に伝達することができる。
【００５４】
一方、摩擦部材５２０は、少なくとも一部を適切に変形することができる。摩擦部材５２０を適切に変形して摩擦部材５２０の特定地点で摩擦が増加するかまたは減少するように形成することができる。摩擦部材５２０は、第１回転軸１１０の長さ方向に沿って摩擦抵抗が変動するように形成することができ、これにより第１回転軸１１０の長さ方向に移動する第１回転ブロック５１０が互いに異なる位置で互いに異なる大きさの摩擦を生成するように形成することができる。以下、図７および図８を参照して摩擦部材５２０の変形例についてさらに詳細に説明する。
【００５５】
図７は摩擦固定部の変形例を示す斜視図であり、図８は図７の摩擦固定部の適用例を示す部分拡大図である。
【００５６】
摩擦部材５２０は、例えば、図７に示すように変形することができる。摩擦部材５２０は、第１回転軸（図４ないし図６の１１０参照）と第１回転ブロック（図４ないし図６の５１０参照）との間で弾性変形する弾性体からなり、第１回転軸１１０の長さ方向に沿って厚さまたは面積が変動し得る。図７の（ａ）に示すように摩擦部材５２０の厚さを変化させて特定地点で摩擦が増加するように形成することができる。これにより前述した第１方向トルクと第２方向トルクが予想外にバランスが崩れる地点で摩擦力が相対的に増加するように形成することができる。
【００５７】
すなわち、巻き取りロール（図１ないし図３の１００参照）が回転してスクリーン部材（図１内地図３の２００参照）が完全に巻き取られたり、逆に回転してスクリーン部材２００が完全に巻き戻されるなどの場合、弾性部材４００の復原力の不足または過多により前述した第１方向トルクと第２方向トルクとの間に予想外の不均衡が発生し得る。このような場合、巻き取りロール１００が回転位置を簡単に維持することが難しい。したがって、このような地点で増加した摩擦力を提供して第１方向トルクと第２方向トルクの合力をより効果的に相殺して巻き取りロール１００を停止させることができる。
【００５８】
例えば、図７の（ａ）に示すように摩擦部材５２０の両端部側で厚さを増加させると、図８の（ａ）に示すように該当部分で第１回転ブロック（図４ないし図６の５１０参照）に向かう摩擦部材５２０の接触面の高さが相対的に増加する。したがって、接触面と第１回転ブロック５１０との間の摩擦が増加する。摩擦部材５２０の両端部側は、第１回転ブロック５１０の移動が阻まれる部分であり、巻き取りロール１００も回転が中断される部分であるため、巻き取りロール１００がスクリーン部材２００を完全に巻き取るか巻き戻した回転位置に対応することができる。このような特定地点で摩擦を増加させて巻き取りロール１００の停止状態をより効果的に維持することができる。
【００５９】
また、摩擦部材５２０は、図７の（ｂ）に示すように第１回転ブロック（図４ないし図６の５１０参照）と接する面に鋸歯（ｓｅｒｒａｔｉｏｎ）５２１が形成され得る。前述した通り、摩擦部材が第１回転ブロック５１０側に形成される場合、摩擦部材の第１回転軸（図４ないし図６の１１０参照）と接する面に鋸歯５２１が形成され得る。鋸歯５２１は、例えば、第１回転軸１１０に形成されたねじ山１１１と対応する位置に配列され得、図８の（ｂ）に示すようにねじ山１１１よりは幅が広く形成されて摩擦を誘発することができる。このように摩擦部材５２０に鋸歯５２１が形成された構造により、やはり適切な大きさの摩擦力を生成して巻き取りロール（図１ないし図３の１００参照）に伝達することができる。
【００６０】
このような鋸歯５２１構造も適切に変形して特定地点で増加した摩擦力を提供することが可能である。第１回転軸１１０の長さ方向、すなわち図７および図８の摩擦部材５２０の延長方向に沿って鋸歯５２１の高さ、間隔、形状のうち少なくとも一つを変動させて摩擦を増加または減少させることができる。例えば、前述したように、摩擦部材５２０の両端部側に位置した鋸歯５２１の高さを増加させたり、間隔を減らしたり、より幅が増加した形態に形状を変形させて該当地点で増加した摩擦力を提供することが可能である。
【００６１】
また、摩擦部材５２０は一つでない複数が互いに異なる地点に配置されることもできる。図７の（ｃ）に示すように増加した摩擦力が必要であると考えられる地点にのみ摩擦部材５２０を追加で配置することができる。例えば、前述した長溝（図５の１１２参照）に一つまたは一つ以上の摩擦部材５２０を分割して互いに異なる位置に挿入することができる。この時、摩擦部材５２０の固定突起５２２で摩擦部材５２０を容易に固定することができる。このように多様な形態に摩擦部材５２０を適切に変形してより効果的に巻き取りロール１００に摩擦力を提供することができる。
【００６２】
以下、図９および図１０を参照してコードレスブラインド装置の作動過程についてより詳細に説明する。
【００６３】
図９および図１０は図１のブラインド装置の作動図である。
【００６４】
コードレスブラインド装置１は、このような構造的特徴によってコードなしでも非常に容易に操作することができる。ウェイト部材３００は巻き取りロール１００にスクリーン部材２００が巻き戻される第１方向トルク（図９および図１０のＴ１参照）を印加し、弾性部材４００はこれに対応してスクリーン部材２００が巻き取られる第２方向トルク（図９および図１０のＴ２参照）を印加する。したがって、多様な回転位置で巻き取りロール１００の均衡を維持することができ、摩擦固定部５００が生成する摩擦力で巻き取りロール１００の停止状態をより容易に維持させることができる。
【００６５】
すなわち、スクリーン部材２００の巻き戻された長さに応じて増加または減少して互いに逆方向に作用するトルク（Ｔ１，Ｔ２）を用いてコードレスブラインド装置１に最小限の外力（スクリーン部材やウェイト部材などを簡単にタッチする方式など）を加えて均衡状態を容易に解除し、スクリーン部材２００の長さを調整することができる。また、外力を除去して均衡状態に容易に転換させることによって、スクリーン部材２００の変化した長さを維持することができる。印加されたトルク（Ｔ１，Ｔ２）の間に微妙な不均衡が発生しても摩擦力で互いに逆方向に印加されたトルク（Ｔ１，Ｔ２）の合力を相殺してより容易に停止状態を維持することができる。
【００６６】
例えば、図９の（ｂ）に示すようにスクリーン部材２００を巻き戻すことができる。この時、巻き取りロール１００は、図９の（ａ）に示すように回転し、これにより巻き取りロール１００と結合された第２回転ブロック４１０が共に回転する。したがって、第２回転ブロック４１０に連結された弾性部材４００が変形して弾性エネルギーが保存される。スクリーン部材２００の巻き戻された長さに対応して弾性部材４００に変形が発生し、これにより復原力が増加する。復原力は、図９の（ｂ）に示すように第１方向トルクＴ１として作用する。
【００６７】
これと同時に、第２方向トルクＴ２も共に増加する。ウェイト部材３００の荷重に加えてスクリーン部材２００の巻き戻された長さ分の荷重が増加して重力作用が強化される。したがって、重力によってスクリーン部材２００にかかった張力が増加し、増加した張力が第２方向トルクＴ２として作用する。このような第２方向トルクＴ２は、第１方向トルクＴ１と完全に逆方向に生成されて均衡を維持することができる。弾性部材４００の弾性係数を調整するか、ウェイト部材３００の荷重を調整して第１方向トルクＴ１と第２方向トルクＴ２の大きさが互いに同一になるように調整することができる。
【００６８】
この時、図９の（ａ）に示すように第１回転ブロック５１０が第１回転軸１１０に沿って回転移動して摩擦力を生成する。摩擦力は、巻き取りロール１００に作用して巻き取りロール１００の停止状態を維持させる。前述した摩擦部材５２０を含む構造、第１回転ブロック５１０と第１回転軸１１０との間のねじ結合構造などを用いてより効果的に摩擦力を発生させることができる。巻き取りロール１００に発生した摩擦力は第１方向トルクＴ１と第２方向トルクＴ２との間に微妙な大きさの差がある場合にもこれを解消させて停止状態を維持する。すなわち、互いに逆方向に印加された第１方向トルクＴ１と第２方向トルクＴ２の合力が残っていても摩擦力で相殺して効果的に停止状態を維持することができる。
【００６９】
このような作用は、図１０に示すようにスクリーン部材２００を巻き取る場合にも同じ原理により行われる。図１０の（ｂ）に示すようにスクリーン部材２００を巻き取る場合、図１０の（ａ）に示すように巻き取りロール１００が逆方向に回転し、弾性部材４００は変形が減って本来の形状を回復し、保存された弾性エネルギーが減少し、復原力も減少する。したがって、第１方向トルクＴ１が対応して減る。また、スクリーン部材２００の巻き戻された長さが減少してウェイト部材３００の荷重だけで重力作用が起き、これにより巻き取りロール１００に印加される第２方向トルクＴ２も対応して減る。また、第１回転ブロック５１０も逆方向に回転しながら移動して摩擦力を生成するので、第１方向トルクＴ１と第２方向トルクＴ２も均衡をなし、摩擦力が作用して巻き取りロール１００の停止状態を維持することができる。
【００７０】
すなわち、スクリーン部材２００が巻戻しまたは巻き取りされるいずれの場合にも第１方向トルクＴ１および第２方向トルクＴ２は互いに均衡をなして増加または減少し、摩擦固定部５００は摩擦力を生成して巻き取りロール１００を停止させる。ユーザーはこのような均衡状態を解除できる程度の最小限の外力のみを提供してスクリーン部材２００の長さを容易に調整することができ、所望する地点で除去して一定の長さで維持することができる。このような操作はスクリーン部材２００や、スクリーン部材２００に連結されたウェイト部材３００などを簡単にタッチして上げるか下げる程度だけで非常に容易に行われる。したがって、本発明のコードレスブラインド装置１を用いてはるかに向上した便利な使用環境を実現することができる。
【００７１】
以下、図１１ないし図１４を参照して本発明の他の実施例によるコードレスブラインド装置について詳細に説明する。説明が明確かつ簡潔になるように前述した実施例との差異を重点に説明し、別途に言及していない他の部分に対する説明は前述した説明で代える。
【００７２】
図１１は本発明の他の実施例によるコードレスブラインド装置を互いに異なる方向から見た斜視図であり、図１２は図１１のブラインド装置のウェイト部材と連結フック部を示す断面図であり、図１３および図１４は図１１のブラインド装置の作動図である。
【００７３】
図１１ないし図１４を参照すると、本発明の他の実施例によるコードレスブラインド装置１−１は、巻き取りロール（１００−１，１００−２）が複数形成され、スクリーン部材（２００−１，２００−２）、ウェイト部材（３００−１，３００−２）、弾性部材（図１３および図１４の４００−１，４００−２参照）も巻き取りロール（１００−１，１００−２）に対応して複数形成される。摩擦固定部（図１３および図１４の５００−１，５００−２参照）は、巻き取りロール（１００−１，１００−２）に対応して複数形成されるが、必要に応じて巻き取りロール（１００−１，１００−２）のうち少なくとも一つにのみ形成されることもできる。このような構造を用いて複数の巻き取りロール（１００−１，１００−２）をコード（紐）なしに容易に作動させ、互いに重なるスクリーン部材（２００−１，２００−２）の長さを容易に調整することができる。
【００７４】
巻き取りロール（１００−１，１００−２）は、図１１、図１３、図１４に示すように複数が互いに平行に配置される。それぞれの巻き取りロール（１００−１，１００−２）は、いずれも固定ブラケット（６１０，６２０）の間に回転可能に結合され得る。巻き取りロール（１００−１，１００−２）それぞれは、回転軸に結合されて回転し得、回転軸は固定ブラケット（６１０，６２０）に結合されて支持され得る。回転軸は、前述した通りそれぞれの巻き取りロール（１００−１，１００−２）の両端部に挿入される第１回転軸（図１３および図１４の１１０−１，１１０−２参照）および第２回転軸（図１３および図１４の１２０−１，１２０−２参照）を含んで形成され得る。図１３および図１４に示すように、互いに異なる巻き取りロール（１００−１，１００−２）にそれぞれ挿入される互いに異なる第１回転軸（１１０−１，１１０−２）が一つの固定ブラケット６１０に結合され得、互いに異なる巻き取りロール（１００−１，１００−２）にそれぞれ挿入される互いに異なる第２回転軸（１２０−１，１２０−２）が他の一つの固定ブラケット６２０に結合され得る。
【００７５】
スクリーン部材（２００−１，２００−２）、ウェイト部材（３００−１，３００−２）、弾性部材（４００−１，４００−２）は、それぞれ複数が前述した複数の巻き取りロール（１００−１，１００−２）それぞれに対応して形成される。すなわち、複数形成された巻き取りロール（１００−１，１００−２）に対応してスクリーン部材（２００−１，２００−２）、ウェイト部材（３００−１，３００−２）、弾性部材（４００−１，４００−２）それぞれを同様に複数形成することができる。これにより複数の巻き取りロール（１００−１，１００−２）それぞれの内部には図１３および図１４に示すように前述した実施例で説明された作動構造と実質的に同じ構造を実現することができる。したがって、複数の巻き取りロール（１００−１，１００−２）それぞれは、前述した通り回転し、該当スクリーン部材（２００−１，２００−２）を巻き取りまたは巻き戻しすることができる。巻き取りロール（１００−１，１００−２）の作動に対する具体的な説明は、前述した説明で代える。
【００７６】
特に、本発明の他の実施例によるコードレスブラインド装置１−１は、複数のスクリーン部材（２００−１，２００−２）の間、および複数のウェイト部材（３００−１，３００−２）の間のうち少なくとも一つの間に連結される連結フック部７００を含む。連結フック部７００は、図１１の（ｂ）に示すように複数のウェイト部材（３００−１，３００−２）の間に連結され得る。これにより複数の巻き取りロール（１００−１，１００−２）を同期化して作動させることができ、複数のスクリーン部材（２００−１，２００−２）をより便利に巻いたり巻き戻すことができる。連結フック部７００は、複数のウェイト部材（３００−１，３００−２）それぞれに形成されたガイド溝（３００−１ａ、３００−２ａ）にスライディング移動が可能に結合され得る。
【００７７】
ガイド溝（３００−１ａ、３００−２ａ）は、図１１の（ｂ）および図１２に示す形態で形成される。図１２に示すようにそれぞれのウェイト部材（３００−１，３００−２）の内側に湾入した形態のガイド溝（３００−１ａ、３００−２ａ）を形成することができ、これを図１１の（ｂ）に示すようにそれぞれのウェイト部材（３００−１，３００−２）の長さ方向に沿って延長して形成することができる。連結フック部７００は、両端部に形成されたスライダー（７１０，７２０）がそれぞれのガイド溝（３００−１ａ、３００−２ａ）に挿入されてスライディング移動が可能に形成されることができる。連結フック部７００は、一つまたは一つ以上が対をなして形成され、ウェイト部材（３００−１，３００−２）のそれぞれ異なる位置に配置され得る。これによりそれぞれ異なるスクリーン部材（２００−１，２００−２）の平衡をより簡単に合わせることができる。
【００７８】
すなわち、連結フック部７００をガイド溝（３００−１ａ、３００−２ａ）に沿ってスライディング移動させて位置を変更することによって、互いに異なるウェイト部材（３００−１，３００−２）間の連結点を変更し、連結フック部７００により張力が作用する地点を変化させることができ、これにより互いに異なるウェイト部材（３００−１，３００−２）にそれぞれ連結された互いに異なるスクリーン部材（２００−１，２００−２）の間にかかる張力をバランスよく調整することができる。例えば、対で形成された連結フック部７００を図１１の（ｂ）に示すようにウェイト部材（３００−１，３００−２）の両端部側にスライディング移動させて対称的に配置することによって、互いに異なるスクリーン部材（２００−１，２００−２）の間に張力がバランスよく作用するように調整することができる。
【００７９】
これにより複数からなるスクリーン部材（２００−１，２００−２）の長さを非常に便利でかつバランスよく調整することができる。互いに異なるウェイト部材（３００−１，３００−２）の間に連結された連結フック部７００が張力をバランスよく配分し伝達して図１２の（ａ）、（ｂ）に示すようにスクリーン部材（２００−１，２００−２）の長さを調整する場合、複数のウェイト部材（３００−１，３００−２）のうちいずれか一つだけをタッチしても他のウェイト部材（３００−１，３００−２）までバランスよく移動させることができる。必要に応じて連結フック部７００の厚さ、長さなどを適切に調整することができ、特に連結フック部７００の長さを変えて互いに異なるウェイト部材（３００−１，３００−２）の相対的な位置を変更することができる。これにより複数のスクリーン部材（２００−１，２００−２）が互いに重なる程度なども所望に応じて変えることができる。
【００８０】
このように連結フック部７００が形成された場合、摩擦固定部（５００−１，５００−２）は、巻き取りロール（１００−１，１００−２）のうち少なくとも一つに形成され得る。本発明の図面（図１３および図１４参照）上には複数の摩擦固定部（５００−１，５００−２）が複数の巻き取りロール（１００−１，１００−２）それぞれに形成されているが、必要に応じて巻き取りロール（１００−１，１００−２）のうちいずれか一つにのみ摩擦固定部を形成することもいくらでも可能である。すなわち、連結フック部７００によりウェイト部材（３００−１，３００−２）とスクリーン部材（２００−１，２００−２）が互いに連結されて張力を交換するので、複数の巻き取りロール（１００−１，１００−２）のうちいずれか一つに作用する摩擦作用も張力の変化により他の巻き取りロール（１００−１，１００−２）に容易に伝達することができる。したがって、摩擦固定部を複数の巻き取りロール（１００−１，１００−２）のすべてにそれぞれ形成せずともコードレスブラインド装置１−１を容易に作動させることができる。摩擦固定部（５００−１，５００−２）の個数は必要に応じて適切に変更することができ、摩擦固定部（５００−１，５００−２）が形成する摩擦力の大きさも巻き取りロール（１００−１，１００−２）の個数などを考慮して適切に増減することができる。
【００８１】
このように形成された本発明の他の実施例によるコードレスブラインド装置１−１も前述したようにコードなしでも非常に容易に操作することができる。すなわち、図１３および図１４に示すように、スクリーン部材（２００−１，２００−２）の巻き戻された長さに応じて増加または減少して互いに逆方向に作用するトルク（Ｔ１，Ｔ２）を用いて、コードレスブラインド装置１−１に最小限の外力（スクリーン部材やウェイト部材などを簡単にタッチする方式など）を加えて均衡状態を容易に解除してスクリーン部材（２００−１，２００−２）の長さを調整することができる。また、外力を除去して均衡状態に容易に転換させることによってスクリーン部材（２００−１，２００−２）の変化した長さを維持することができる。印加されたトルク（Ｔ１，Ｔ２）の間に微妙な不均衡が発生しても摩擦力で互いに逆方向に印加されたトルク（Ｔ１，Ｔ２）の合力を相殺してより容易に停止状態を維持することができる。したがって、本発明のコードレスブラインド装置１−１を用いてはるかに向上した便利な使用環境を実現することができる。以上、添付する図面を参照して本発明の実施例を説明したが、本発明が属する技術分野における通常の知識を有する者は、本発明がその技術的思想や必須の特徴を変更せず他の具体的な形態で実施できることを理解することができるであろう。したがって、上記実施例はすべての面で例示的なものであり、限定的なものではないと理解しなければならない。
【符号の説明】
【００８２】
１、１−１：コードレスブラインド装置
１００、１００−１、１００−２：巻き取りロール
１０１：ガイドレール
１１０、１１０−１、１１０−２：第１回転軸
１１０ａ、１２０ａ：回転リング
１１０ｂ、１２０ｂ：固定部
１１１、５１１：ねじ山
１１２：長溝
１１３、５２２：固定突起
１１４：ストッパ
１２０、１２０−１、１２０−２：第２回転軸
２００、２００−１、２００−２：スクリーン部材
３００、３００−１、３００−２：ウェイト部材
３００−１ａ、３００−２ａ：ガイド溝
４００、４００−１、４００−２：弾性部材
４１０、４１０−１、４１０−２：第２回転ブロック
４１１、５１２：ホルダ
５００：摩擦固定部
５１０、５１０−１、５１０−２：第１回転ブロック
５０１：貫通穴
５２０、５２０−１、５２０−２：摩擦部材
５２１：鋸歯
６１０、６２０：固定ブラケット
７００：連結フック部
７１０、７２０：スライダー
Ｔ１：第１方向トルク
Ｔ２：第２方向トルク
【図１】
0006815584.tif 000002
【図２】
0006815584.tif 000003
【図３】
0006815584.tif 000004
【図４】
0006815584.tif 000005
【図５】
0006815584.tif 000006
【図６】
0006815584.tif 000007
【図７】
0006815584.tif 000008
【図８】
0006815584.tif 000009
【図９】
0006815584.tif 000010
【図１０】
0006815584.tif 000011
【図１１】
0006815584.tif 000012
【図１２】
0006815584.tif 000013
【図１３】
0006815584.tif 000014
【図１４】
0006815584.tif 000015